(57)【要約】【課題】【解決手段】本発明は、スリット(2)及び溝(3)によって案内される細長いエレメント(1)を備える留め金装置に関する。細長いエレメント(1)に設けたスリットの間には、両側ボタン(4)が配置され、該エレメントをスライドさせて所望の長さとするために使用される。【選択図】図１
2007521892.tif 000002
【特許請求の範囲】
【請求項１】
簡単な一工程で誰でも自分の手首のサイズに合わせてブレスレットの長さを調節することができるようにしたブレスレット用留め金装置であって、細長いエレメント(1)のスライド効果を特徴とする、ブレスレット用留め金装置。
【請求項２】
前記細長いエレメント(1)を、該細長いエレメント(1)に設けたスリット(2)及び溝(3)によって保持することを特徴とする、請求項１に記載の留め金装置。
【請求項３】
停止用切欠き(7)若しくは円錐形狭窄部を設けた溝(3)を特徴とする、請求項1に記載の留め金装置。
【請求項４】
細長いエレメント(1)を固定することができ、停止させる助けとなる両側ボタン(4)を特徴とする、請求項１に記載の留め金装置。
【請求項５】
他の既存の若しくは新たな固定装置を使用することができることを特徴とする、請求項１〜４に記載の留め金装置。
【請求項６】
歯部を備えるスライド部品(6a)と、多数の孔を設けた固定部品(6b)とを特徴とする締め金に代表される、請求項１〜５に記載の留め金装置。この二つの部品は、手首のサイズに応じて所望の長さに達するまでスライドする。サイズが決まったら、スライド装置によって、スライド部品(6a)と固定部品(6b)とは横方向に互いにロックして、ブレスレットを完璧にブロックする。
【発明の詳細な説明】
【技術分野】
【０００１】
本発明は、ブレスレット用の調節可能な留め金装置に関する。本発明は、相対的にスライドして、ブレスレットの長さを手首のサイズに合わせることができるようにする細長い部品(1)を特徴とする。
【背景技術】
【０００２】
今日、折畳んだ状態から開くループを特徴とするブレスレット用の留め金装置がよく知られており、このループは、一方のループが他方のループ上に折畳まれるものである。特許を受けているいくつかの装置（例えば米国特許第４４２４６１１号、同第５７７１５４３号、特開平１０−１２７３１８号、米国特許第２３９４８５５６号）は、ブレスレットの長さを調節できることを示している。この場合、調節を行うためには、宝石職人や時計職人の助けが必要であったり、特殊な工具を使用したりする必要がある。また、長さを伸ばす自由度は低くなっている。
【発明の開示】
【発明が解決しようとする課題】
【０００３】
本発明の目的は、いつでも容易に、簡単な一工程で合わせることができる細長い部品を設けることにより、このような調節における問題点に新たな解決策をもたらすことである。ブレスレットの装着者は、いかなる特別な物（工具等）をも使用することなく、また他人の助けを借りることなく、ブレスレットの長さをいつでも好きな時に自分の手首のサイズに合わせて調節することができる。
【０００４】
特許を受けている上述の装置も満足のいくものではあるが、本発明と同じ特徴を有するものでは全くない。
【０００５】
出願人は、専門家の助けを借りて、国際的な特許調査に関するウェブサイトwww.espacenet.chで調査を行ったが、本発明に類似するスライド装置は見出せなかった。
【図１】
2007521892.tif 000003
【図２】
2007521892.tif 000004
【図３】
2007521892.tif 000005
【図４】
2007521892.tif 000006
【図５】
2007521892.tif 000007
【図６】
2007521892.tif 000008
【図７】
2007521892.tif 000009
【手続補正書】
【提出日】平成18年1月19日(2006.1.19)
【手続補正１】
【補正対象書類名】特許請求の範囲
【補正対象項目名】全文
【補正方法】変更
【補正の内容】
【特許請求の範囲】
【請求項１】
ブレスレットの長さを手首のサイズに合わせて調節することができるようにするための伸縮式スライドシステム及び閉手段（２、６ａ、６ｂ）を備えるブレスレット用の留め金装置であって、
該伸縮システムは、二つのスロット（２）に沿ってスライドする二つの細長いエレメント（１）と、該エレメントを経路の一端で停止させることができる一つのボタン（４）と、案内し、第一の細長いエレメント１の切欠き部（５）で停止させるための溝（３）及び稜（７）を備える一つのスライド部品（６ａ）とを特徴とし、閉手段は一つの固定片（６ａ）を備え、該固定片の一端は細長いエレメント（１）の第二の方と相互依存しており、収縮システムをスライドさせて所望の長さとなったら、スライド片（６ａ）と協働して閉手段をブロックする、ブレスレット用の留め金装置。
【手続補正２】
【補正対象書類名】明細書
【補正対象項目名】全文
【補正方法】変更
【補正の内容】
【発明の詳細な説明】
【技術分野】
【０００１】
本発明は、開閉する際に腕時計が落下するのを防ぐ、周囲が閉じた円形の留め金装置に関する。この留め金装置は、ブレスレットを長くしたり短くしたりすることができるように案内される伸縮部品の原則の下に機能するものである。この留め金装置は、腕時計、装身具、及びこの用途に役立つ他の物品のための、経路を制御するための段階的手段、及び開閉システムを特徴とする。この伸縮システムを構成する互いに嵌合するエレメントは、各エレメントの動きを止めるための停止切欠き部を備える。手の中央部分は手首よりも大きいという原則から始まって、この伸縮システムに基づいた腕時計を作製した。この腕時計は直径を小さくしたり大きくしたりすることができるので、使用者は空いている方の手で非常に簡単に調節したり、開閉したりすることができる。ブレスレットと伸縮システムとの連結部は、一旦手首にぴったり合ったら、使用者が単に圧力をかけるだけで、伸縮システムの外側部分が正しい位置に係止されるまで逆の操作によって伸縮システムに対して近づいてこれを強化する、段階的ヒンジ式キャップを用いて作成されている。
【背景技術】
【０００２】
ブレスレットを手首の周りで調節することを目的とした従来の調節装置が知られている。このような装置は下記の特許に記載されている。
【０００３】
J.J. Franklin, Jr.の米国特許第１，９９７，７２３号、Extension device for article of jewelry (宝飾品のための延長装置)、１９３３年１１月４日
この特許はリングを着脱する伸長装置を記載している。この機能は段階的な調節ができる余地はない。プレート１８とバー１４はフック２１を有効にするために固定されている。この部品では段階的閉手段を創造することはできない。この発明の基本は、別個のピース（図１及び図５参照）、８−１０−４−６のコンビネーションからなることであり、これらの部品の平均は、指にはめる前にリングの直径を規定する。当業者であればこの違いがすぐにわかるであろう。
【０００４】
Louis Fiessler & Co.、D-Pforzheimのスイス特許第２０３２０２号、Ziehschaloss fuer Armbaender、１９３９年５月１６日
この特許は調節バネによって離隔配置された閉手段を開示している。目的がブレスレットの長さを調節することであっても、その目的を達成するための方法が、閉じた円形の伸縮部品と、直線的な経路のヒンジ式キャップを有する段階的調節装置とを特徴とする留め金装置を記載する本発明とは異なる。
【０００５】
Saul Ritter、New Yorkの米国特許第２，５４２，３５８号、１９４５年９月２１日、Extensible Connector for Bracelets or the Like（ブレスレット等のための延長可能なコネクター）
この特許は、折畳み式ループとスライド式連結部とによる拡大によって調節を行うことを記載している。スライドシステムのスロットは多くの非論理的且つ不可解な複雑な構造だらけであり、製造コストが高い割には結果に疑問が残る。これは留め金装置及びヒンジ式キャップによって閉じる伸縮システムを記載する本発明とは全く異なる。この二つの発明は全く逆の機能及び製造システムを提供するものである。
【０００６】
Gerald William Gauton、Londonの特許第９３６，６９７号、１９６１年８月２６日、An Extensible Link Fastener for a Bracelet or Similar Article of Jewellery（ブレスレット等の宝飾品のための延長可能なリンクファスナ）
この閉手段は、フックを外すと開けることができる（図ｆ、パートD）ので、留め金装置は設けられていない。またFesslerの特許と同様に、閉手段の機能ははバネによるものである。
【０００７】
Favre, Jacques、La Chaux-de-Fondsのスイス特許第６６９，５０１号、１９８７年２月２６日、Closure with Automatically Adjusting Fold for Bracelets（ブレスレット用自動調節折曲部を有する締め金）
この特許は、側面の一方に開口がある折畳み式閉手段を開示しており、この開口はブレスレットを折畳み式ループの上に引っ張る安定化ガイドとして機能する。この溝の機能は、本発明における溝の目的とは異なる。ここでも、当業者であればすぐにこの違いがわかるであろう。
【０００８】
Mitsugi Ishida、New Yorkの米国特許第６，０８５，５５０号、２０００年７月１１日、Adjustable Article of Jewelry and Related Method（調節可能な宝飾品及び関連する方法）
この特許は、ほぼリング式閉手段にのみ係るものである。本発明の特徴には全く関係がない。
【発明の開示】
【発明が解決しようとする課題】
【０００９】
上記の６つの特許を検討した後、これらの特許のいずれも、経路に沿って段階的な調節装置を備える伸縮システムと、適切な直径に調節することができ、且つ空いている方の手で容易且つ簡単に腕時計を開閉できる閉手段との組み合わせを請求することはできないという結論に至った。
【課題を解決するための手段】
【００１０】
これまで長い間、腕時計の使用者は、心地よさ、美しさ、簡素性、そしてもちろん、宝石職人や修理工等の特別な助けを必要とすることなく手首に合わせることができる調節の容易さを兼ね備えた腕時計に強い関心を持ってきた。市場ではすでにいくつかの解決策が提案されているが、特に技術的限界、嵩張ること、特許を受けているシステムの製造コストが高いことにより、今日の状況はまだ本当に満足のいくものではない。このような要求は重要であるので、信頼性が高く、腕時計、装身具、その他のブレスレットに適用可能なシステムを発明した。本発明者のブレスレットは、最適なフック手段を特徴とする伸縮システムと、段階的連結によって達成される閉手段とを備えるというところに大いに新規性がある。
【００１１】
腕時計製造業者、装身具製造業者、並びに時計業界の専門家や使用者に対して調査を行ったところ、本発明は多大なる成功を収め、結果は非常に有望であると思われる。
【００１２】
２００５年４月６日〜１０日にジュネーヴで行われたSalon International des Inventionsにおいて、本発明者はブレスレット用の調節可能な留め金装置の発明及びその他について、コンテストで優勝し、金メダル及び国際審査員団の賞賛と共に第１位を獲得した。
【発明を実施するための最良の形態】
【００１３】
図１は、時計１、及び断面が曲線であるピン２４を用いてヒンジ止めされた接続片２を示す。
【００１４】
図１２は、可撓性部４２、突出部４１、対角溝４３、及び開口部４４によって連結される、強制手段を有するリンク３を示す。この機構全体は、組立てると、時計と伸縮システムとの間の連結部を形成するものである。
【００１５】
図３は、引出し部材１２（図７）からなる伸縮システムを示し、この引き出し部材１２は、案内手段５及び８、並びに経路１０の端部に設けた停止切欠き部を、その両側に備えている。引出し部材の縁部にはその全長に渡って、キャップ２５と係合するための穴７が設けられている。第二の溝１３（図８）には、端部に設けた二つの停止切欠き部９、縁部１１、及びスロット２０に係合する切欠き部３４を有する連結ボタン１４が設けられている。組み立ては同時に行われる。図８に示す第二の引出し部材は、切欠き部１０（図７）及び切欠き部９（図８）の制限を受けるまでずっとスライドするように、図７（開口部５及び８参照）に案内される。第三の片１５（図９）、可撓性部品３２、ピン１９の機能、両側３１で対角線方向に角度の付いた開口部２０は、ボタン１４（図８）に係合する。このボタンは、前後へのスライド動作ができるように、開口部２０と一致する対角線方向角度を、対角線角度３１（図９）に有し、伸縮システムの長さを長くしたり短くしたりする。伸縮システムの組立てを完成させると、既に連結部４に固定されている部品３７（図１１）は、可撓性部３２を介して部品１５（図９）を受け入れるための手段を有し、ピン１９を穴３３に挿入して合致させるのを容易にし、伸縮システム（３）、キャップ２５、及びブレスレット４をヒンジ式に固定する。部品３７は舌部２１に代表される手段を有し、この舌部は、装着者が留め金装置を使用する際に、伸縮システム、キャップ、及びブレスレットの間で、部品１５がヒンジを押し出したり外してしまったりするのを防止し、安定化する。
【図面の簡単な説明】
【００１６】
【図１】図１は、ブレスレット用の調節可能な留め金装置を、装置の全ての部品を最大直径まで広げた状態の一伸張状態で示す図である。
【図２】図２は、図１の伸縮システムの拡大図である。
【図３】図３は、伸縮システムの長さを縮めた状態の図である。
【図４】図４は、段階的カップリングをある所望のサイズとした状態を示す図である。
【図４ａ】図４ａは、連結可能な状態に部分的に開放した状態の伸縮システムを示す図である。
【図５】図５は、段階的カップリングシステムの変更例を示す図である。
【図５ａ】図５ａは、できるだけ閉じた状態の伸縮システムを示す図である。
【図６】図６は、カップリングの別の実施態様を示す図である。
【図６ａ】図６ａは、図６の連結段階を示す図である。
【図７】図７は、引出し部材を示す図である。
【図８】図８は、第二引出し部材を示す図である。
【図９】図９は、伸縮システム及びヒンジ式キャップのヒンジシステムの延長部を示す図である。
【図１０】図１０は、引出し部材とブレスレットとの間の連結エレメントを示す図である。
【図１１】図１１は、延長部及びブレスレットを取り付けた連結エレメントを示す図である。
【図１２】図１２は、ブレスレットを構成するエレメントを示す図である。
【図１３】図１３は、保持曲線部を有するピンを示す図である。
【図１４】図１４は、ブレスレットを長くする動作中に脱線するのを防止するための一つの機能を示す図である。
【手続補正３】
【補正対象書類名】図面
【補正対象項目名】全図
【補正方法】変更
【補正の内容】
【図１】
2007521892.tif 000010
【図２】
2007521892.tif 000011
【図３】
2007521892.tif 000012
【図４】
2007521892.tif 000013
【図４ａ】
2007521892.tif 000014
【図５】
2007521892.tif 000015
【図５ａ】
2007521892.tif 000016
【図６】
2007521892.tif 000017
【図６ａ】
2007521892.tif 000018
【図７】
2007521892.tif 000019
【図８】
2007521892.tif 000020
【図９】
2007521892.tif 000021
【図１０】
2007521892.tif 000022
【図１１】
2007521892.tif 000023
【図１２】
2007521892.tif 000024
【図１３】
2007521892.tif 000025
【図１４】
2007521892.tif 000026
【国際調査報告】
2007521892.tif 000027
2007521892.tif 000028
2007521892.tif 000029
2007521892.tif 000030
2007521892.tif 000031
2007521892.tif 000032